(57)【要約】【課題】  通常の荷物だけでなくパレットに積載した荷物やテント倉庫自体をフォークリフト等に依り移動できる様にしたテント倉庫に於て、既存のパレットを用いたものより大きな収容スペースを確保する事ができると共に、ベース上に置く荷物が損傷しない様にする。【解決手段】  フォークポケット６を備えて既存のパレットより大きな金属製のベース２と、ベース２の側面に取付けられてベース２の四周に所定の空隙Ａを形成する為のスペーサ３と、スペーサ３に取付けられてベース２及び空隙Ａの上方に所定の収容空間Ｂを形成する為のテントフレーム４と、テントフレーム４に着脱可能に被覆されるテントシート５とで構成し、とりわけベース２を既存のパレットより大きな金属製にすると共に、スペーサ３をベース２の側面に取付ける。【選択図】        図１
2011106194.tif 000002
【特許請求の範囲】
【請求項１】
フォークポケットが形成されて既存のパレットより大きな金属製のベースと、ベースの側面に取付けられてベースの四周に所定の空隙を形成する為のスペーサと、スペーサに取付けられてベース及び空隙の上方に所定の収容空間を形成する為のテントフレームと、テントフレームに着脱可能に被覆されるテントシートと、から構成した事を特徴とするテント倉庫。
【請求項２】
ベースは、トラックに積載可能な大きさに分割されると共に、着脱可能に取付けられる請求項１に記載のテント倉庫。
【請求項３】
ベースの四周に形成される空隙のうちフォークが挿入される側の空隙を小さくした請求項１に記載のテント倉庫。
【請求項４】
テントフレームは、フォークが挿入される前後方向に所定の間隔を置いて配された倒立略Ｕ型の複数の門型枠体を備えている請求項１に記載のテント倉庫。
【請求項５】
テントフレームは、前後方向に伸縮可能である請求項１に記載のテント倉庫。
【請求項６】
テントシートは、少なくとも一つの出入口と、出入口を開閉する左右方向に伸縮可能なカーテンとを備えている請求項１に記載のテント倉庫。
【請求項７】
テントシートは、少なくとも一つの出入口と、出入口を開閉する上方に巻き上げ可能なドアシートとを備えている請求項１に記載のテント倉庫。
【請求項８】
カーテンは、上端がテントフレームに設けられたカーテンレールに依り左右方向に案内されると共に、下端がスペーサを構成する第二連結体に依り案内される縦方向の芯材を備えている請求項６に記載のテント倉庫。
【請求項９】
ドアシートは、下端にウエイトバーを備えていると共に、テントフレームには、閉状態のドアシートのウエイトバーを受け入れる担持片を備えている請求項７に記載のテント倉庫。
【発明の詳細な説明】
【技術分野】
【０００１】
本発明は、通常の荷物だけでなくパレットに積載した荷物やテント倉庫自体をフォークリフト等に依り移動できる様にしたテント倉庫の改良に関する。
【背景技術】
【０００２】
従来、この種のテント倉庫としては、例えば特許文献１に記載されたものが知られている。
これは、フォークポケットを備えてベースとなるパレットと、パレットに着脱可能に取付けられてパレットの四周に空隙を形成する為のスペーサと、スペーサに取付けられてパレット及び空隙の上方に所定の収容空間を形成する為のテントフレームと、テントフレームに着脱可能に被覆されるテントシートとから構成されている。
【先行技術文献】
【特許文献】
【０００３】
【特許文献１】特開２００９−１０８４９２号公報
【発明の概要】
【発明が解決しようとする課題】
【０００４】
ところが、この様なものは、既存のパレットを使用する関係上、ベースの大きさが限られてしまい、テント倉庫としても大きな収容スペースを確保する事ができなかった。
加えて、パレットの四隅には、スペーサが外嵌されていたので、パレットの上面には、スペーサの上板の厚み分だけの段差が形成されてしまい、パレット上に置く荷物がこの段差に当たって損傷する惧れがあった。
【０００５】
本発明は、叙上の問題点に鑑み、これを解消する為に創案されたもので、その課題とする処は、既存のパレットを用いたものより大きな収容スペースを確保する事ができると共に、ベース上に置く荷物が損傷しない様にしたテント倉庫を提供するにある。
【課題を解決するための手段】
【０００６】
本発明のテント倉庫は、基本的には、フォークポケットが形成されて既存のパレットより大きな金属製のベースと、ベースの側面に取付れられてベースの四周に所定の空隙を形成する為のスペーサと、スペーサに取付けられてベース及び空隙の上方に所定の収容空間を形成する為のテントフレームと、テントフレームに着脱可能に被覆されるテントシートと、から構成した事に特徴が存する。
【０００７】
テント倉庫のベースの上には、通常の荷物やパレットに積載された荷物が載置されて収容される。
テントフレームにテントシートが着脱可能に被覆されるので、収容された荷物が雨除けや日除けされて保護される。
ベースの四周には、スペーサに依って所定の空隙が形成されているので、その分だけ収容空間が広くなり、荷物がテントフレーム等に接触してこれらが損傷する事がない。とりわけ、パレットに積載された荷物をフォークリフト等に依り出し入れする際には、この事が顕著である。
荷物が収容されたテント倉庫は、荷物の重量に依り安定化されて強風等に依って転倒する惧れがなくなる。
ベースのフォークポケットにフォークリフト等のフォークを挿入すれば、テント倉庫自体及び荷物を収容したテント倉庫全体を移動する事ができる。
【０００８】
ベースは、金属製にされているので、既存の木製や合成樹脂製のパレットを用いる場合に比べて強度や剛性や耐久性を大幅に高める事ができる。この為、ベースを既存のパレットより大きくする事ができると共に、ベースの破損等が防止されて寿命の延伸を図る事ができる。
ベースを既存のパレットより大きくしたので、テント倉庫としても大きな収容空間を確保する事ができる。
スペーサは、ベースの側面に取付けたので、ベースの上面には、段差が形成される事がなく、ベース上に置かれる荷物が段差に依り損傷する事がない。
【０００９】
ベースは、トラックに積載可能な大きさに分割されると共に、着脱可能に取付けられるのが好ましい。この様にすれば、トラックに積載して運搬する事ができると共に、任意の大きさのものにする事ができる。
【００１０】
パレットの四周に形成される空隙のうちフォークが挿入される側の空隙を小さくするのが好ましい。この様にすれば、フォークリフト等のフォークが短い場合でも、容易に挿入できて運搬する事ができる。
【００１１】
テントフレームは、フォークが挿入される前後方向に所定の間隔を置いて配された倒立略Ｕ型の複数の門型枠体を備えているのが好ましい。この様にすれば、所定の大きさの収容空間を形成する事ができる。
【００１２】
テントフレームは、前後方向に伸縮可能であるのが好ましい。この様にすれば、テントフレームを収縮させる事に依りベースを露出する事ができ、荷物の出し入れが容易に行える。
【００１３】
テントシートは、少なくとも一つの出入口と、出入口を開閉する左右方向に伸縮可能なカーテンとを備えているのが好ましい。この様にすれば、カーテンを開いた時には、カーテンが左右方向の一側に位置するので、これが邪魔にならずに荷物の出し入れが容易に行える。
【００１４】
テントシートは、少なくとも一つの出入口と、出入口を開閉する上方に巻き上げ可能なドアシートとを備えているのが好ましい。この様にすれば、ドアシートを開いた時には、ドアシートが上方に位置するので、これが邪魔にならずに荷物の出し入れが容易に行える。
【００１５】
カーテンは、上端がテントフレームに設けられたカーテンレールに依り左右方向に案内されると共に、下端がスペーサを構成する第二連結体に依り案内される縦方向の芯材を備えているのが好ましい。この様にすれば、カーテンの開閉が適正に行なえると共に、カーテンの下端が搖動する事がなく、確実に閉状態を保つ事ができる。
【００１６】
ドアシートは、下端にウエイトバーを備えていると共に、テントフレームには、閉状態のドアシートのウエイトバーを受け入れる担持片を備えているのが好ましい。この様にすれば、ドアシートの下端が搖動する事がなく、確実に閉状態を保つ事ができる。
【発明の効果】
【００１７】
本発明に依れば、次の様な優れた効果を奏する事ができる。
（１）  ベース、スペーサ、テントフレーム、テントシートとで構成し、とりわけベースを既存のパレットより大きな金属製にしたので、既存のパレットを用いたものより大きな収容スペースを確保する事ができる。
（２）  ベース、スペーサ、テントフレーム、テントシートとで構成し、とりわけスペーサをベースの側面に取付けたので、ベースの上面に段差が形成される事がなく、ベース上に置かれる荷物が段差に依り損傷する事がない。
【図面の簡単な説明】
【００１８】
【図１】本発明の第一例に係るテント倉庫を示す正面図。
【図２】図１の側面図。
【図３】図１の平面図。
【図４】ベースとスペーサを示す斜視図（一方のベースは裏返して表描している）。
【図５】本発明の第二例に係るテント倉庫を示す正面図。
【図６】図５の側面図。
【図７】図５の背面図。
【図８】図５の平面図。
【図９】ベースとスペーサを示す斜視図（一方のベースは裏返して表描している）。
【図１０】図５の要部正面図。
【図１１】収縮状態を示す図６と同様図。
【発明を実施するための形態】
【００１９】
以下、本発明の実施の形態を、図面に基づいて説明する。
図１乃至図４に於て、テント倉庫１は、ベース２、スペーサ３、テントフレーム４、テントシート５とからその主要部が構成されている。
【００２０】
ベース２は、フォークポケット６を備えて既存のパレットより大きな金属製のもので、この例では、横長の平面長方形状を呈し、二方向にフォークポケット６を備えたものにしてあり、既存のパレットより大きな大きさ（略四倍）を備えている。
ベース２は、前後方向に二分割されて着脱可能に取付けられるものにしてあり、横長の平面長方形状を呈する上板７と、左右方向に所定の間隔を置いて配設された適数（六つ）の桁板８と、各桁板８の前側及び後側を連結する前後の下板９と、桁板８間に形成された左右のフォークポケット６と、フォークポケット６を除く桁板８間に設けられた適数（前後に三つづつ合計六つ）の連結板１０とを備えて居り、鋼板等の金属板を溶接して作製されている。
【００２１】
而して、各連結板１０には、適数（三つ）の貫孔１１が穿設されて居り、ベース２は、複数（二つ）のものが前後方向に配置されて連結板１０が突き合わされ、貫孔１１を利用してボルト・ナット等の締結具（図示せず）に依り締結されて一体化されている。
ベース２のフォークポケット６には、図略しているが、倉庫設置現場等に配備されたフォークリフト等のフォークが挿入される。
【００２２】
スペーサ３は、ベース２の側面に取付けられてベース２の四周に所定の空隙Ａを形成する為のもので、この例では、ベース２の左右両端に着脱可能に取付けられる前中後の左右一対の取付体１２と、各取付体１２の先端に立設された柱体１３と、左側及び右側の前中後の取付体１２同士を連結する第一連結体１４と、前側及び後側の取付体１２同士を連結する第二連結体１５とを備えている。
【００２３】
前後の取付体１２は、平面略Ｓ型を呈し、基端が取付具に依りベース２の側面に取付けられている。中間の取付体１２は、平面略Ｔ型を呈し、基端が取付具に依りベース２の側面の継目部分に跨って取付けられている。取付具は、ベース２の側面に螺設された螺孔と、取付体１２に穿設されたボルト孔と、これに挿通されて螺孔に螺合されるボルトとを備えている。各取付体１２は、ベース２の上面から突出しない様にされている。
柱体１３は、丸パイプ製にしてあり、各取付体１２の先端に付設されている。
第一連結体１４は、前中後の取付体１２に付設された支板と、これらの間に配置される丸パイプ製の連結杆と、支板と連結杆とを締結する連結具（ボルト・ナット）とを備えている。
第二連結体１５は、前後の取付体１２に付設された支板と、これらの間に位置されるワイヤ等の連結杆と、支板と連結杆とを調整移動可能に連結する調整具（頭なしボルト・ナット）とを備えている。
而して、ベース２の四周に形成される空隙Ａのうちフォークが挿入される側の空隙つまり前側と後側の空隙Ａ´は、他の空隙より小さくされている。
【００２４】
テントフレーム４は、スペーサ３に取付けられてベース２及び空隙Ａの上方に所定の収容空間Ｂを形成する為のもので、この例では、フォークが挿入される前後方向に所定の間隔を置いて配された倒立略Ｕ型の複数（五つ）の門型枠体１６と、各門型枠体１６の上部同士を連結する上位連結体１７と、前から奇数番目の門型枠体１６同士を連結する左右一対の中位連結体１８と、前から奇数番目の門型枠体１６同士を連結する左右一対の下位連結体１９とを備えている。
【００２５】
門型枠体１６は、天井部２０と、これの両端から垂下された左右の支柱２１とを備えている。
天井部２０は、基本的には、丸パイプ製の弧状材と、これらの下部同士を連結する角パイプ製の梁材とを備えている。前から偶数番目の天井部２０は、梁材が省略されている。
支柱２１は、角パイプ製にしてあり、基本的には、その上部に天井部２０の下端部が内嵌されると共に、その下部にスペーサ３の柱体１３の上端部が内嵌される様になって居り、上部には、天井部２０の下端部を受け止める為の受止具（植付けナット・ボルト）と、天井部２０の下端部を固定する為の固定具（植付けナット・蝶ボルト）とが設けられていると共に、下部には、スペーサ３の柱体１３の上端部を固定する為の同様の固定具（植付けナット・蝶ボルト）が設けられている。前から偶数番目の支柱２１は、下半が省略されて中位連結体１８に立設されている。
【００２６】
上位連結体１７は、帯板状を呈し、門型枠体１６の天井部２０に付設された支板との間で連結具（ボルト・ナット）に依り着脱可能に取付けられている。
中位連結体１８は、角パイプ製にしてあり、支柱２１に付設された支板との間で連結具（ボルト・ナット）に依り着脱可能に取付けられている。
下位連結体１９は、丸パイプ製のＸ型の筋交いにしてあり、各端部が支柱２１に付設された支板との間で連結具（ボルト・ナット）に依り着脱可能に取付けられている。
【００２７】
テントシート５は、テントフレーム４に着脱可能に被覆されるもので、この例では、ビニール等のシート材料で作製されていると共に、テントフレーム４の下面（底面）を除く前面と後面と左面と右面と上面（天面）を覆うものにしてあり、前後二つの出入口２２と、これを開閉する左右方向に伸縮可能なカーテン２３とを備えている。
カーテン２３は、上端がテントフレーム４の門型枠体１６を構成する天井部２０の梁材に設けられたカーテンレール２４に依り左右方向に案内されると共に、下端がスペーサ３を構成する第二連結体１５の連結杆に依り案内される縦方向の芯材２５を備えている。芯材２５は、丸パイプ製にしてあり、カーテン２３の左右方向に所定の間隔を置いて適数（左右両端と中程の三つ）だけ設けられている。スペーサ３の第二連結体１５は、取付体１２同士を連結する連結機能と、カーテン２４の下部を案内する案内機能とを兼備している。
【００２８】
次に、この様な構成に基づいてその作用を述解する。
カーテン２３を開閉すると、出入口２２が開閉される。カーテン２３は、芯材２５を備えているので、引戸の様に適正に開閉する事ができ、開位置及び閉位置に確実に保持できる。
テント倉庫１のベース２の上には、開かれた出入口２２から、通常の荷物やパレットに積載された荷物が載置されて収容される。
ベース２の四周には、スペーサ３に依って所定の空隙Ａが形成されているので、その分だけ収容空間Ｂが広くなり、荷物がテントフレーム４やテントシート５等に接触してこれらが損傷する事がない。
【００２９】
荷物が収容されたテント倉庫１は、荷物の重量に依り安定化されて強風等に依って転倒する惧れがなくなる。
テント倉庫１のベース２のフォークポケット６にフォークリフト等のフォークを挿入すれば、テント倉庫１自体及び荷物を収容したテント倉庫１全体を移動する事ができる。
【００３０】
ベース２は、既存のパレットよりも大きくされているので、テント倉庫１としても、収容スペースが大きくなり、多くの荷物を収容する事ができる。
スペーサ３は、ベース２の側面に取付けたので、ベース２の上面には、段差が形成される事がなく、ベース２上に置かれる荷物が段差に依り損傷する事がない。
【００３１】
次に、本発明の第二例を、図５乃至図１１に基づいて説明する。
第二例は、ベース２とスペーサ３とテントフレーム４を第一例とは異ならせたものであり、とりわけ、テントフレーム４を前後方向に伸縮可能にしたものである。
【００３２】
ベース２は、この例では、第一例と同様のものを用いている。
【００３３】
スペーサ３は、この例では、ベース２の左右両端に着脱可能に取付けられる前中後の左右一対の取付体１２を備えている。取付体１２は、取付具に依りベース２の側面に取付けられている。取付具は、ベース２の側面に植設された植付ボルトと、取付体１２に穿設されたボルト孔と、ボルト孔に挿通された植付ボルトに螺合されるナットとを備えている。
【００３４】
テントフレーム４は、フォークが挿入される前後方向に所定の間隔を置いて配された倒立略Ｕ型の複数（五つ）の門型枠体１６と、これらを前後方向に伸縮可能に連結する伸縮手段２６と、門型枠体１６を伸縮可能に案内する案内手段２７と、門型枠体１６を伸長状態に掛止する為の掛止手段２８と、門型枠体１６を伸長状態に保つ為の伸長保持手段２９とを備えている。
【００３５】
門型枠体１６は、天井部２０と、これの両端から垂下された左右の支柱２１とを備えている。
最も後側に位置する門型枠体１６は、左右方向の中程でベース２との間に着脱可能に設けられた中央支柱３０を備えて居り、この中央支柱３０と左右の支柱２１とは、下部同士が連結体３１に依り連結されている。連結体３１は、支柱２１と中央支柱３０に付設された支板との間で連結具（ボルト・ナット）に依り着脱可能に取付けられている。
【００３６】
伸縮手段２６は、この例では、各門型枠体１６の支柱２１間に設けられて上下端のうち一方（下端）が各支柱２１に枢結されて各支柱２１を前後方向に伸縮可能に連結するＸ型リンク３２と、各支柱２１に設けられる上下方向の案内杆３３と、Ｘ型リンク３２の上下端のうち他方（上端）に設けられて各案内杆３３に遊嵌される環体３４とを備えている。
【００３７】
Ｘ型リンク３２は、二つの丸パイプ製のリンクがＸ型にされてその交点が横軸（ボルトと袋ナット）に依り枢結されたものが左右に二つづつ設けられている。
各Ｘ型リンク３２の下端のうち最外端に位置する前後のものは、横軸（植付けボルトとカラーと袋ナット）に依り支柱２１の下側内面に枢結されていると共に、これ以外のものは、隣接するものどうしが重ねられて同一の横軸に依り支柱２１に枢結されている。各Ｘ型リンク３２の上端のうち最外端に位置する前後のものは、横軸（頭部なしボルトと袋ナット）が設けられていると共に、これ以外のものは、隣接するものどうしが重ねられて同一の横軸に依り枢結されている。
案内杆３３は、略横Ｕ型を呈する丸棒製のものにしてあり、両端が各支柱２１の上側内面に溶接に依り取付けられている。
環体３４は、アイナットにしてあり、支柱２１に溶接する前の案内杆３３に挿通されて居り、各Ｘ型リンク３２の上端に設けられた横軸（頭部なしボルト）に螺合して取付けられている。
【００３８】
案内手段２７は、スペーサ３に着脱可能に設けられたガイドレール３５と、門型枠体１６の支柱２１の下部に設けられてガイドレール３５に依り案内される車輪３６とを備えている。最も後側に位置する門型枠体１６には、車輪３６が設けられて居らず、ガイドレール３５の後側上部に設けられた固定体３７に着脱可能に取付けられている。
【００３９】
ガイドレール３５は、上方が開放したチャンネル材と、これのフランジの中央上面に付設されたアングル材と、チャンネル材の前後の下面に垂設された取付板とを備えて居り、各取付板がスペーサ３の取付体１２に取付具（ボルト・ナット）に依り着脱可能に取付けられている。このガイドレール３５は、前後のスペーサ３同士を連結する連結体（第一例の第二連結体１５に相当する）としても兼用させている。ガイドレール３５のチャンネル材の前側には、脱輪を防止する為のストッパ（ボルト・ナット）３８が設けられている。
車輪３６は、門型枠体１６の支柱２１の下部に取付けられる略逆Ｕ型を呈するホルダと、これに左右方向軸廻りに回転可能に設けられてガイドレール３５のアングル材上を転動する主輪と、ホルダの左右両側に左右方向軸廻りに回転可能に設けられてガイドレール３５のチャンネル材のウエブに当合して浮き上がりを防止する副輪とを備えている。
【００４０】
掛止手段２８は、門型枠体１６の前側の支柱２１に設けられた支持体３９と、これに昇降及び縦軸廻りに回動可能に設けられて上方位置に掛止し得る略倒立Ｌ型を呈する丸棒製の落し棒４０と、ガイドレール３５の前側に設けられて下降時の落し棒４０が嵌入される丸パイプ製の受筒４１とを備えている。
【００４１】
伸長保持手段２９は、前後方向の門型枠体１６の各支柱２１間に介設されて居り、倒立略Ｕ型を呈する丸棒製の保持杆４２と、支柱２１の内面に溶接に依り設けられて保持杆４２の両端が着脱可能に嵌合される丸パイプ製の受筒４３とを備えている。
【００４２】
テントシート５は、この例では、前側に一つの出入口２２と、これを開閉する上方に巻き上げ可能なドアシート４４とを備えている。
つまり、テントシート５の前面には、出入口２２が形成されて居り、ファスナ４５に依り開閉可能なドアシート４４が設けられている。
テントフレーム４とドアシート４４の間には、ドアシート４４を上方に巻き上げる為の巻上手段（図示せず）が設けられている。巻上手段は、周知の如く、テントフレーム４の上部に設けられた滑車と、これに掛渡されて一端がドアシート４４の下端に止結されたロープ等に依り構成されている。
而して、ドアシート４４は、下端にウエイトバー４６を備えていると共に、テントフレーム４には、閉状態のドアシート４４のウエイトバー４６を受け入れる側面略Ｕ型の担持片４７を備えている。
【００４３】
この様なものは、第一例と同様に使用する事ができるばかりでなく、テントフレーム４を伸縮可能にしたので、テントフレーム４を収縮させる事に依りベース２を露出する事ができ、上方からの荷物の出し入れが容易に行える。
ドアシート４４の下端には、ウエイトバー４６を備えていると共に、テントフレーム４には、担持片４７を備えているので、ドアシート４４が閉状態に確実に保持され、風等に依り搖動する惧れがない。
【００４４】
尚、スペーサ３は、先の例では、ベース２の側面に着脱可能に取付けたが、これに限らず、例えばベース２の側面に溶接に依り固定しても良い。
スペーサ３は、第一例では、螺孔とボルトから成る取付具を用いてベース２に取付け、第二例では、植付ボルトとナットから成る取付具を用いてベース２に取付けたが、これに限らず、例えばこれら以外の取付具を用いて取付けても良い。
テントシート５は、第一例では、出入口２２が二つ、第二例では、出入口２２が一つであったが、これに限らず、例えば任意の数にしても良い。
【符号の説明】
【００４５】
１…テント倉庫、２…ベース、３…スペーサ、４…テントフレーム、５…テントシート、６…フォークポケット、７…上板、８…桁板、９…下板、１０…連結板、１１…貫孔、１２…取付体、１３…柱体、１４…第一連結体、１５…第二連結体、１６…門型枠体、１７…上位連結体、１８…中位連結体、１９…下位連結体、２０…天井部、２１…支柱、２２…出入口、２３…カーテン、２４…カーテンレール、２５…芯材、２６…伸縮手段、２７…案内手段、２８…掛止手段、２９…伸長保持手段、３０…中央支柱、３１…連結体、３２…Ｘ型リンク、３３…案内杆、３４…環体、３５…ガイドレール、３６…車輪、３７…固定体、３８…ストッパ、３９…支持体、４０…落し棒、４１…受筒、４２…保持杆、４３…受筒、４４…ドアシート、４５…ファスナ、４６…ウエイトバー、４７…担時片、Ａ，Ａ´…空隙、Ｂ‥収容空間。
【図１】
2011106194.tif 000003
【図２】
2011106194.tif 000004
【図３】
2011106194.tif 000005
【図４】
2011106194.tif 000006
【図５】
2011106194.tif 000007
【図６】
2011106194.tif 000008
【図７】
2011106194.tif 000009
【図８】
2011106194.tif 000010
【図９】
2011106194.tif 000011
【図１０】
2011106194.tif 000012
【図１１】
2011106194.tif 000013
【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
フォークポケットが形成されて既存のパレットより大きな金属製のベースと、ベースの側面に取付けられてベースの四周に所定の空隙を形成する為のスペーサと、スペーサに取付けられてベース及び空隙の上方に所定の収容空間を形成する為のテントフレームと、テントフレームに着脱可能に被覆されるテントシートと、から構成した事を特徴とするテント倉庫。
【請求項２】
ベースは、トラックに積載可能な大きさに分割されると共に、着脱可能に取付けられる請求項１に記載のテント倉庫。
【請求項３】
ベースの四周に形成される空隙のうちフォークが挿入される側の空隙を小さくした請求項１又は２に記載のテント倉庫。
【請求項４】
テントフレームは、フォークが挿入される前後方向に所定の間隔を置いて配された倒立略Ｕ型の複数の門型枠体を備えている請求項１〜３の何れかに記載のテント倉庫。
【請求項５】
テントフレームは、前後方向に伸縮可能である請求項１〜４の何れかに記載のテント倉庫。
【請求項６】
テントシートは、少なくとも一つの出入口と、出入口を開閉する左右方向に伸縮可能なカーテンとを備えている請求項１〜５の何れかに記載のテント倉庫。
【請求項７】
テントシートは、少なくとも一つの出入口と、出入口を開閉する上方に巻き上げ可能なドアシートとを備えている請求項１〜６の何れかに記載のテント倉庫。
【請求項８】
カーテンは、上端がテントフレームに設けられたカーテンレールに依り左右方向に案内されると共に、下端がスペーサを構成する第二連結体に依り案内される縦方向の芯材を備えている請求項６に記載のテント倉庫。
【請求項９】
ドアシートは、下端にウエイトバーを備えていると共に、テントフレームには、閉状態のドアシートのウエイトバーを受け入れる担持片を備えている請求項７に記載のテント倉庫。